(57)【要約】【課題】ユーザーによる運行データ履歴情報の要求入力からモニタへ出力までの処理時間を短くする。【解決手段】エレベーター運行モニタシステムは、エレベーターの制御装置及び運行モニタに接続し、運行データ履歴ファイル及び運行モニタ用履歴ファイルを含むデータベースを有する。エレベーター運行モニタシステムは、さらにエレベーターの運行データを入力する運行データ処理部、入力した運行データの変化情報を運行データ履歴ファイルに保存する運行データ管理部、及び運行データ履歴ファイルに保存されている運行データの変化情報から、所定時間の運行モニタ用履歴情報を生成して運行モニタ用履歴ファイルに保存する運行データ集計部を含む履歴情報作成部、並びに運行モニタからの入力に応答して、運行モニタ用履歴情報を運行モニタに出力する運行データ出力部を含む履歴情報表示部を設ける。【選択図】  図１
2014118233.tif 000002
【特許請求の範囲】
【請求項１】
エレベーターの制御装置及び運行モニタに接続し、運行データ履歴ファイル及び運行モニタ用履歴ファイルを含むデータベースを有し、前記制御装置から前記エレベーターの運行データを入力する運行データ処理部、入力した前記運行データの変化情報を前記運行データ履歴ファイルに保存する運行データ管理部、及び前記運行データ履歴ファイルに保存されている前記運行データの変化情報から、所定時間の運行モニタ用履歴情報を生成して前記運行モニタ用履歴ファイルに保存する運行データ集計部を含む履歴情報作成部、並びに前記運行モニタからの入力に応答して、前記運行モニタ用履歴ファイルに保存されている前記運行モニタ用履歴情報を前記運行モニタに出力する運行データ出力部を含む履歴情報表示部を設けたことを特徴とするエレベーター運行モニタシステム。
【請求項２】
前記履歴情報作成部と前記履歴情報表示部は、前記運行モニタ用履歴ファイルの前記運行モニタ用履歴情報を介して独立して動作するように構成されることを特徴とする請求項１記載のエレベーター運行モニタシステム。
【発明の詳細な説明】
【技術分野】
【０００１】
本発明は、エレベーターの運行データを記録すると共にモニタ出力用の運行データを集計記録するエレベーター運行モニタシステムに関する。
【背景技術】
【０００２】
ＷＥＢ技術の応用により画面データ作成機能を製品側に集中させ、クライアント装置側ソフトのＷＥＢブラウザを利用することにより、クライアントでは操作できない保守作業の軽減やクライアント装置の交換・追加を容易に行なうことができ、ユーザー要望に応じた運行状況を適正に評価し易いエレベーターの運行状況表示を提供できることが特許文献１に記載されている。
【０００３】
また、エレベーターの運行情報を記録する装置と運行情報をモニタ表示する装置を各々設けることにより、運行モニタ装置は起動したとき運行情報データを収集するので、常時電源をＯＮにする必要がないことが特許文献２に記載されている。
【先行技術文献】
【特許文献】
【０００４】
【特許文献１】特開２００７−９１３５４号公報
【特許文献２】特開２００３−２６７６４１号公報
【発明の概要】
【発明が解決しようとする課題】
【０００５】
従来は、エレベーターの運行データを時系列に記録し、ユーザーが確認したい履歴時間及び履歴項目を選択した際に、記録してある運行データから目的の時間帯と運行データ情報を検索しているため、エレベーターの運行情報をモニタに出力するタイミングで検索、集計、表示データの作成などの処理が発生していた。
【課題を解決するための手段】
【０００６】
開示されるエレベーター運行モニタシステムは、エレベーターの制御装置及び運行モニタに接続し、運行データ履歴ファイル及び運行モニタ用履歴ファイルを含むデータベースを有する。エレベーター運行モニタシステムは、さらに制御装置からエレベーターの運行データを入力する運行データ処理部、入力した運行データの変化情報を運行データ履歴ファイルに保存する運行データ管理部、及び運行データ履歴ファイルに保存されている運行データの変化情報から、所定時間の運行モニタ用履歴情報を生成して運行モニタ用履歴ファイルに保存する運行データ集計部を含む履歴情報作成部、並びに運行モニタからの入力に応答して、運行モニタ用履歴ファイルに保存されている運行モニタ用履歴情報を運行モニタに出力する運行データ出力部を含む履歴情報表示部を設ける。
【発明の効果】
【０００７】
本発明によれば、あらかじめ特定の時間単位でモニタ出力表示用の運行データ履歴情報が保存されているので、ユーザーによる運行データ履歴情報の要求入力からモニタへ出力までの処理時間を短くできる。
【図面の簡単な説明】
【０００８】
【図１】エレベーター運行モニタシステムの主要構成を示すブロック図である。
【図２】運行モニタ用履歴情報のデータ構成を示す図である。
【図３】運行モニタ用履歴情報の集計対象を示す図である。
【図４】ユーザーが履歴情報を確認するための設定画面例を示す図である。
【図５】履歴情報表示画面を示す図である。
【図６】履歴情報の集計方式を示す図である。
【発明を実施するための形態】
【０００９】
図１は、エレベーター運行モニタシステムの主要構成を示すブロック図である。
エレベーターシステムは、乗りかご１が号機制御装置１１により制御され、複数台の乗かご１〜３とそれらの号機制御装置１１〜１３とでＡグループ１０のエレベーターを構成して、図示していないグループ制御装置により群として制御されている。複数のＡ、Ｂグループ１０、２０に含まれる各号機制御装置は運行モニタシステム６０に接続し、号機制御装置が運行データ（乗かごを制御する制御情報及び乗かごの状態情報）を運行モニタシステム６０に出力する。このような大規模なエレベーターシステムを例に説明するが、本実施形態はたとえ１台の乗りかごとその号機制御装置が運行モニタシステム６０に接続した構成であっても良いことは、以下の説明から容易に理解される。たとえば、グループ制御装置から出力される、フロアからの乗り場呼びの状態は、１台の乗りかごのエレベーターでは、号機制御装置から運行モニタシステム６０に出力される。なお、グループ制御装置及び/又はグループ制御装置を、以下ではエレベーター制御装置と呼ぶ。
【００１０】
運行モニタシステム６０は、運行データ処理部３１、運行データ管理部３２、および運行データ集計部３３を含む履歴情報作成部３０と、運行データ出力部５１を含む履歴情報表示部５０と、運行データ履歴ファイル４１および運行モニタ用履歴ファイル４２を含むデータベース４０を有し、エレベーターの運行履歴情報を表示する運行モニタ７０と接続する。
【００１１】
Ａグループ１０の乗かご１〜３の運行データ（乗かご１〜３の号機制御装置１１〜１３による制御情報および状態情報）がエレベーター制御装置（号機制御装置１１〜１３及び/又はグループ制御装置）から運行データ処理部３１に出力される。他のグループＢのエレベーター２０も同様に動作する。号機制御装置は各グループの乗かごの数に対応している。
【００１２】
運行データ処理部３１は、エレベーター制御装置から出力され、運行データ処理部３１に入力される運行データの、前回入力された運行データから変化した情報を識別し、識別した変化情報を運行データ管理部３２へ出力する。運行データは、ランダムに又は周期的に運行データ処理部３１に入力される。
【００１３】
ランダムに運行データ処理部３１に入力される運行データとして乗り場呼びがある。エレベーター制御装置からの前回出力された乗り場呼びが「無」の状態から、今回乗り場呼びが「有」の状態に変化する。また、乗り場呼びのあるフロアに乗かごが到着すると、乗り場呼びが「有」の状態から「無」の状態に変化する。運行データ処理部３１は、このような変化情報を識別して、たとえば乗り場呼び「有」を運行データ管理部３２へ出力する。したがって、乗り場呼びの「有」の状態が継続しても、運行データ処理部３１は、乗り場呼びの「無」の状態から「有」の状態への変化を識別した時点で、乗り場呼び「有」を運行データ管理部３２へ出力する。
【００１４】
周期的に運行データ処理部３１に入力される運行データとして、乗かごの扉開状態や各所の通信異常の継続時間などがある。継続時間が、たとえばフリーランタイマの値として出力される場合は、運行データ処理部３１は、エレベーター制御装置から運行データ処理部３１に今回入力されたタイマ値から前回入力されたタイマ値を減算し、前回入力されたタイミングで算出した継続時間に減算結果を加算することで、現時点までの継続時間を得る。
【００１５】
運行データ管理部３２は、変化情報に時刻情報を付加し、履歴情報として時系列に運行データ履歴ファイル４１に保存する。上述の例で言えば、運行データ管理部３２が、乗り場呼び「有」の運行データを入力した時刻に対応付けて履歴情報として運行データ履歴ファイル４１に保存する。
【００１６】
運行データ集計部３３は、運行データ管理部３２で作成された時系列の履歴情報が保存されている運行データ履歴ファイル４１を読み出し、所定の時間単位の集計結果を１つのブロックとした運行モニタ用履歴情報を作成する。運行データ集計部３３は、作成した運行モニタ用履歴情報を運行モニタ用履歴ファイル４２に保存する。ここで、運行データ履歴ファイル４１を読み出し、作成する運行モニタ用履歴情報の１ブロックの時間単位は、運行モニタ７０に表示され、運行モニタシステム６０のユーザーにより選択可能である。
【００１７】
例えば、ユーザーが選択した運行モニタ用履歴情報の時間単位を５分とした場合、運行モニタ用履歴ファイル４２に保存されるデータ構成は図２のように１ブロック８０が５分単位となる。Ｄａｔｅ８１は運行モニタ用履歴情報の時間情報を表し、図２の場合２０１２年７月１８日の１１時００分から５分毎の行モニタ用履歴情報のデータ構成例を示している。運行モニタに出力する時間単位が５分であるならば、１ブロック８０のデータ構成を同一の時間単位で、すなわち５分単位で運行モニタ用履歴情報を集計する。Ｎａｍｅ８２は運行モニタ用履歴情報の履歴項目、Ａｄｄｒｅｓｓ８３はエレベーターの対象グループ、Ｖａｌｕｅ８４は履歴項目の集計結果をそれぞれ表し、ユーザーが指定した履歴時間及び履歴項目に対応する検索対象となる。
【００１８】
図３は、運行モニタ用履歴情報の集計対象を表す。運行モニタ用履歴情報は履歴項目の名称に応じて、カウントテーブル９１、合計値テーブル９２、平均値テーブル９３、通常テーブル９４の４種類のいずれかのデータ形式で集計し、管理する。４種類のデータ形式について、所定の時間単位を５分とした場合、カウントテーブル９１は、乗場呼びＵＰ登録９５の操作回数など、履歴項目の５分間に発生したＯＮ又はＯＦＦの回数を集計し、記録する。合計値テーブル９２は、履歴項目が乗降人数９６の５分間の合計値を集計し、記録する。平均テーブル９３は、乗場呼びＵＰ継続時間９７など、履歴項目の５分間の平均値を集計し、記録する。通常テーブル９４は、履歴項目が通信異常継続時間９８の５分間の履歴情報をそのまま（継続時間）記録する。
【００１９】
以上のように運行データ集計部３３は、運行データ管理部３２が記録した運行データ履歴ファイル４１を読み出し、所定時刻から所定の時間、例えば５分間の集計結果を１つのブロック８０としてあらかじめデータベース４０の運行モニタ用履歴ファイル４２に保存しておくことで、運行データ出力部５１は、ユーザーが指定した履歴時間及び履歴項目に対応した運行モニタ用履歴情報を運行モニタ用履歴ファイル４２から瞬時に読み出し、運行モニタ７０に出力表示することができる。
【００２０】
図１に示すように、運行モニタシステム６０は、運行データを入力して、運行データ履歴ファイル４１に保存し、運行データ履歴情報を集計する履歴情報作成部３０と運行データ履歴情報を保存する運行モニタ用履歴ファイル４２を含むデータベース４０と運行モニタ用履歴情報を読み出し運行モニタ７０に出力表示する履歴情報表示部５０に大別される。そのため、データを記録する履歴情報作成部３０とモニタに出力する履歴情報表示部５０がデータベース４０の運行モニタ用履歴情報を介して独立して稼働するように構成することにより、履歴情報作成部３０とデータベース４０を常時稼働させ、履歴情報表示部５０を休止状態にしておき、ユーザーからの起動指示に応答して、履歴情報表示部５０を起動することも可能である。
【００２１】
図４に、ユーザーがエレベーターの運行データ履歴情報を確認するための設定画面例を示す。２０１２年７月１８日１１時００分〜１２時００分のＡグループのエレベーターに対する履歴情報としてユーザーが各階乗場登録回数を確認する場合、各選択項目を設定画面１００のように設定し、ＯＫ釦１０２を押下する。運行モニタ７０からのユーザーによる要求入力（ＯＫ釦１０２を押下）に応答して、運行データ出力部５１は、運行データ履歴情報を、図５に示す表示画面２００のようにグラフや表で運行モニタ７０に表示し、ユーザーは表示された運行データ履歴情報を確認する。
【００２２】
従来はこのタイミングで（ＯＫ釦１０２を押下に応答して）、時系列に保存された履歴情報から２０１２年７月１８日１１時００分〜１２時００分の運行データを検索し、集計するため、ユーザーによるＯＫ釦１０２を押下から運行データ履歴情報の表示までに時間を要していた。本実施形態によれば、運行モニタ７０で設定できる時間範囲１０１が５分単位である場合、運行データ集計部３３で作成する運行モニタ用履歴情報のデータ構成１ブロック８０も５分単位としておけば、５分単位の運行モニタ用履歴情報があらかじめ運行モニタ用履歴ファイル４２に集計記録されているため、運行データ出力部５１が１１時００分から１２ブロック分の運行モニタ用履歴情報を運行モニタ用履歴ファイル４２から取り出し、運行モニタ７０へ出力することで、１１時０分〜１２時０分の運行モニタ用履歴情報を短時間で画面表示することができる。
【００２３】
図６に、図４の時間１０１の２０１２年７月１８日１１時００分〜１２時００分の設定に対して、現在時刻が設定時間内の１１時５７分の場合の運行モニタ履歴情報の集計方式を示す。現在時刻が５分単位の区切りに相当しない場合、運行モニタ用履歴情報を作成する更新周期を１分とする。運行データ集計部３３は１分毎に５分単位の履歴情報を運行モニタ用履歴ファイル４２に記録する。これにより、現在時刻である１１時５７分にも集計され、１１時５０分〜１１時５５分の集計結果３０１と１１時５５分〜１１時５７分３０２の集計結果としての運行モニタ用履歴情報が運行モニタ用履歴ファイル４２に保存されるので、運行データ出力部５１により運行モニタ７０には現在時刻までの集計結果を出力表示される。
【００２４】
現在時刻が設定時間を超えて１２時０３分となった場合、運行データ集計部３３は１２時０３分に集計し、１２時００分〜１２時０３分３０４の集計結果が運行モニタ用履歴ファイル４２に記録される。すなわち、運行モニタ用履歴情報の更新時は、現在時刻が所属するブロックを対象に新たに集計される。以上により、運行モニタ設定画面の時間単位１０１と履歴情報のデータ構成８０が一致していなくても、運行データ集計部３３で作成する履歴情報の更新周期と同期していれば、現在時刻の集計結果を運行モニタ７０に出力表示することができる。
【００２５】
運行データ集計部３３で作成する運行モニタ用履歴情報の時間単位を１ブロック１分としても良いが、データベースに必要とされるデータ領域が増大する。
【００２６】
本実施形態によれば、あらかじめ所定の時間単位でモニタ出力表示用の履歴情報が保存されているため、ユーザーが指定した履歴時間及び履歴項目に対応する履歴情報を読み出し、モニタへ出力表示可能になり、ユーザーの要求からモニタへの出力までの処理時間を短くできる。
【符号の説明】
【００２７】
１，２，３：エレベーター乗かご、１０：Ａグループのエレベーター、２０：Ｂグループのエレベーター、３０：履歴情報作成部、３１：運行データ処理部、３２：運行データ管理部、３３：運行データ集計部、４０：データベース、４１：運行データ履歴ファイル、４２：運行モニタ用履歴ファイル、５０：履歴情報表示部、６０：運行モニタシステム、７０：運行モニタ。
【図１】
2014118233.tif 000003
【図２】
2014118233.tif 000004
【図３】
2014118233.tif 000005
【図４】
2014118233.tif 000006
【図５】
2014118233.tif 000007
【図６】
2014118233.tif 000008